(57)【特許請求の範囲】
【請求項１】
映像信号にコピー回数制御用の電子透かしを埋め込み、該埋め込んだ映像信号を記録媒体に記録することによりコピー回数の制御を行うようにしたコピー回数制御機能付き記録装置において、
映像信号に電子透かしを埋め込む前処理として１フレームの映像をｎ個のブロックに分割する手段と、該分割する手段によって分割されたｎ個のブロックについて各ブロック毎に電子透かしを埋め込む手段とを具え、
前記分割する手段によって分割されたｎ個のブロックのうちｍ個をコピー回数に相当する電子透かしを埋め込むブロック、そしてｃｎ個をコピー許可回数に相当する電子透かしを埋め込むブロック（ただし、ｎ≧ｍ＋ｃｎ）としたことを特徴とするコピー回数制御機能付き記録装置。
【請求項２】
映像信号にコピー回数制御用の電子透かしを埋め込み、該埋め込んだ映像信号を記録媒体に記録することによりコピー回数の制御を行うようにしたコピー回数制御機能付き記録装置において、
映像信号に電子透かしを埋め込む前処理として１フレームの映像をｎ個のブロックに分割する手段と、該分割する手段によって分割されたｎ個のブロックについて各ブロック毎に電子透かしを埋め込む手段とを具え、
前記分割する手段によって分割されたｎ個のブロックのうちｍ個をコピー回数に相当する電子透かしを埋め込むブロック、ｒｎ個を前記コピー回数に相当する電子透かしと比較参照するための参照用データの電子透かしを埋め込むブロック、そしてｃｎ個をコピー許可回数に相当する電子透かしを埋め込むブロック（ただし、ｎ≧ｍ＋ｒｎ＋ｃｎ）としたことを特徴とするコピー回数制御機能付き記録装置。
【請求項３】
映像信号にコピー回数制御用の電子透かしを埋め込み、該埋め込んだ映像信号を記録媒体に記録することによりコピー回数の制御を行うようにしたコピー回数制御機能付き記録装置において、
映像信号に電子透かしを埋め込む前処理としてｎフレームの映像を１つのグループとしてグループ化する手段と、該グループ化する手段によってグループ化されたｎフレームの映像について各フレーム毎に電子透かしを埋め込む手段とを具え、
前記グループ化する手段によってグループ化されたｎフレームの映像のうちｍフレームをコピー回数に相当する電子透かしを埋め込むフレーム、そしてｃｎフレームをコピー許可回数に相当する電子透かしを埋め込むフレーム（ただし、ｎ≧ｍ＋ｃｎ）としたことを特徴とするコピー回数制御機能付き記録装置。
【請求項４】
映像信号にコピー回数制御用の電子透かしを埋め込み、該埋め込んだ映像信号を記録媒体に記録することによりコピー回数の制御を行うようにしたコピー回数制御機能付き記録装置において、
映像信号に電子透かしを埋め込む前処理としてｎフレームの映像を１つのグループとしてグループ化する手段と、該グループ化する手段によってグループ化されたｎフレームの映像について各フレーム毎に電子透かしを埋め込む手段とを具え、
前記グループ化する手段によってグループ化されたｎフレームの映像のうちｍフレームをコピー回数に相当する電子透かしを埋め込むフレーム、ｒｎフレームをコピー回数に相当する電子透かしと比較参照するための参照用データの電子透かしを埋め込むフレーム、そしてｃｎ個をコピー許可回数に相当する電子透かしを埋め込むフレーム（ただし、ｎ≧ｍ＋ｒｎ＋ｃｎ）としたことを特徴とするコピー回数制御機能付き記録装置。
【発明の詳細な説明】
【０００１】
【発明の属する技術分野】
本発明は、ＶＴＲなどの記録装置による映像・音声のコピー回数を電子透かしを用いて制御する記録装置に係り、特に、映像信号にコピー回数制御用の電子透かしを埋め込み、その埋め込んだ映像信号を記録媒体に記録することによりコピー回数の制御を行うようにしたコピー回数制御機能付き記録装置に関するものである。
【０００２】
【従来の技術】
近年、種々の記録装置の普及により映像や音声の不正コピーによる著作権侵害が大きな社会問題となっている。
現状では、ＶＴＲやカセットテープレコーダーにはコピー制御機能は具えられていないが、ＤＶＤ（Ｄ iｇｉｔａｌ  Ｖｅｒｓａｔｉｌｅ  Ｄｉｓｃ）やＤＡＴ（Ｄｉｇｉｔａｌ  Ａｕｄｉｏ  Ｔａｐｅｒｅｃｏｒｄｅｒ）などの記録装置には、コピーを禁止したり、コピー回数を制限する機能が具えられている。
コピー回数を制限するには、コピー回数を示す情報を、記録媒体の中に保存しておき、予め定められたコピー回数を超えてコピーを行うときには、コピーを不可能にする方法が用いられている。
【０００３】
このコピー回数の情報を保存するには、記録媒体の予め定められた領域にコピー回数を書き込む場所があり、その書き込まれたコピー回数データをコピーされるごとに書き換える方法と、コピー回数の情報を電子透かしとして映像や音声に埋め込み、コピーされるごとに電子透かしを書き換える方法とがある。
【０００４】
前者の記録媒体の予め定められた領域にコピー回数の情報を書き込む方法は容易に書き換えることが可能なため、違法なコピーが容易に作成可能となる。このため、最近の記録媒体では、後者の電子透かしによりコピー回数情報を埋め込む方法か、または、両者を併用した方法が用いられている。
【０００５】
【発明が解決しようとする課題】
しかし、上述したように、記録媒体上で映像や音声を記録する領域とコピー回数情報を記録する領域とを分離してコピー制御を行う方法は、記録されたコピー回数情報が容易に改竄可能であるという欠点があった。
【０００６】
また、コピー回数情報を電子透かしとして映像や音声に埋め込み、この情報によりコピーの制御を行う機能を具えた記録装置は、コピー回数を読み取るための電子透かしを検出する部分と、埋め込まれたコピー回数の情報を更新し、再度電子透かしとして映像や音声に埋め込む部分とを具える必要があり、装置の構成が大規模になるという欠点があった。
【０００７】
本発明の目的は、上述した欠点を除去したコピー回数制御機能付き記録装置を提供することにある。
【０００８】
【課題を解決するための手段】
上記目的を達成するために、本発明によるコピー回数制御機能付き記録装置は、映像信号にコピー回数制御用の電子透かしを埋め込み、該埋め込んだ映像信号を記録媒体に記録することによりコピー回数の制御を行うようにしたコピー回数制御機能付き記録装置において、映像信号に電子透かしを埋め込む前処理として１フレームの映像をｎ個のブロックに分割する手段と、該分割する手段によって分割されたｎ個のブロックについて各ブロック毎に電子透かしを埋め込む手段とを具え、前記分割する手段によって分割されたｎ個のブロックのうちｍ個をコピー回数に相当する電子透かしを埋め込むブロック、そしてｃｎ個をコピー許可回数に相当する電子透かしを埋め込むブロック（ただし、ｎ≧ｍ＋ｃｎ）としたことを特徴とするものである。
【０００９】
また、本発明によるコピー回数制御機能付き記録装置は、映像信号にコピー回数制御用の電子透かしを埋め込み、該埋め込んだ映像信号を記録媒体に記録することによりコピー回数の制御を行うようにしたコピー回数制御機能付き記録装置において、映像信号に電子透かしを埋め込む前処理として１フレームの映像をｎ個のブロックに分割する手段と、該分割する手段によって分割されたｎ個のブロックについて各ブロック毎に電子透かしを埋め込む手段とを具え、前記分割する手段によって分割されたｎ個のブロックのうちｍ個をコピー回数に相当する電子透かしを埋め込むブロック、ｒｎ個を前記コピー回数に相当する電子透かしと比較参照するための参照用データの電子透かしを埋め込むブロック、そしてｃｎ個をコピー許可回数に相当する電子透かしを埋め込むブロック（ただし、ｎ≧ｍ＋ｒｎ＋ｃｎ）としたことを特徴とするものである。
【００１０】
また、本発明によるコピー回数制御機能付き記録装置は、映像信号にコピー回数制御用の電子透かしを埋め込み、該埋め込んだ映像信号を記録媒体に記録することによりコピー回数の制御を行うようにしたコピー回数制御機能付き記録装置において、映像信号に電子透かしを埋め込む前処理としてｎフレームの映像を１つのグループとしてグループ化する手段と、該グループ化する手段によってグループ化されたｎフレームの映像について各フレーム毎に電子透かしを埋め込む手段とを具え、前記グループ化する手段によってグループ化されたｎフレームの映像のうちｍフレームをコピー回数に相当する電子透かしを埋め込むフレーム、そしてｃｎフレームをコピー許可回数に相当する電子透かしを埋め込むフレーム（ただし、ｎ≧ｍ＋ｃｎ）としたことを特徴とするものである。
【００１１】
また、本発明によるコピー回数制御機能付き記録装置は、映像信号にコピー回数制御用の電子透かしを埋め込み、該埋め込んだ映像信号を記録媒体に記録することによりコピー回数の制御を行うようにしたコピー回数制御機能付き記録装置において、映像信号に電子透かしを埋め込む前処理としてｎフレームの映像を１つのグループとしてグループ化する手段と、該グループ化する手段によってグループ化されたｎフレームの映像について各フレーム毎に電子透かしを埋め込む手段とを具え、前記グループ化する手段によってグループ化されたｎフレームの映像のうちｍフレームをコピー回数に相当する電子透かしを埋め込むフレーム、ｒｎフレームをコピー回数に相当する電子透かしと比較参照するための参照用データの電子透かしを埋め込むフレーム、そしてｃｎ個をコピー許可回数に相当する電子透かしを埋め込むフレーム（ただし、ｎ≧ｍ＋ｒｎ＋ｃｎ）としたことを特徴とするものである。
【００１４】
【発明の実施の形態】
以下に添付図面を参照し、発明の実施の形態に基づいて本発明を詳細に説明する。
図１は、本発明によるコピー回数制御用機能付き記録装置における電子透かし埋め込み部分の一実施形態をブロック図にて示している。
図１において、１は映像分割部、２は電子透かし埋め込み部、および３は映像合成部である。
【００１５】
動作につき説明する。
映像入力信号は、まず、映像分割部１において、１フレームの映像がｎ個のブロックに分割される。ここでは、説明を分かりやすくするために、分割されたｎ個のブロックには、１番からｎ番までの番号が割り当てられているものとする。この番号の割り当て方法は任意である。
【００１６】
本実施形態においては、コピー回数に相当し、コピー回数を係数するための電子透かしを埋め込むブロック数ｍを（ｎ−１）とし、１番から（ｎ−１）番までのブロックをこれに当て、コピー許可回数に相当する電子透かしを埋め込むブロック数ｃｎを１とし、ｎ番のブロックをこれに当てるものとする。
また、分割された１番からｎ番までのブロックに電子透かしを埋め込むのに、コピー回数に相当する電子透かしを埋め込むブロック数をｍ、参照用データの電子透かしを埋め込むブロック数をｒｎ、およびコピー許可回数に相当する電子透かしを埋め込むブロック数をｃｎ（ただし、ｎ≧ｍ＋ｒｎ＋ｃｎ）としてもよい。
【００１７】
図１中、電子透かし埋め込み部２において、これら分割されたｎ個のブロックのうち、１番から（ｎ−１）番のブロックには、例えば、すでに行われたコピー回数など共通の埋め込みデータが電子透かしとして埋め込まれる。また、残るｎ番のブロックにはコピー許可回数が埋め込まれる。この埋め込み方法も任意のものでよい。電子透かしが埋め込まれた１番からｎ番までの番号のブロックの映像信号は映像合成部３において合成され、コピー回数制御用電子透かしが埋め込まれた映像信号として出力される。
【００１８】
図２は、本発明によるコピー回数制御機能付き記録装置の一実施形態をブロック図にて示している。
図２において、４は映像分割部、５は電子透かし検出部、６は電子透かし分析部、７は別映像ブロック生成部、および８は映像合成部である。
【００１９】
動作につき説明する。
図１に示す映像合成部３から出力されたコピー回数制御用電子透かしが埋め込まれた映像信号は、まず、映像分割部４に入力される。この映像分割部４は図１に示す映像分割部１と同じもので、電子透かし埋め込み時に行ったブロック分割と同じ分割を行う部分である。映像分割部４から出力された１番からｎ番までの各ブロックの電子透かしが埋め込まれた映像信号は、電子透かし検出部５に送られて個々のブロックから電子透かしが検出される。検出された電子透かしは電子透かし分析部６に入力される。電子透かし分析部６では、ｎ番のブロックから検出される電子透かし（コピー許可回数）と１番から（ｎ−１）番までのブロックから検出される電子透かしとを分析し、分析の結果、それら検出された電子透かしが同じであるか、異なっているかに対応して、後述する実施例によって説明するように、映像切替スイッチを制御する。
【００２０】
ここに、切り替える映像としては、図２に示すように、別映像ブロックとコピー不可映像信号とがある。ここに、別映像ブロックは、入力されたそのままの映像ブロックをもとに別映像ブロック生成部７において生成され、、映像は入力映像と同じであるが、通常の電子透かしが検出されないようにされたブロックであり、例えば、文字を上乗せし、正常に電子透かしが検出されないようにしたブロックである。また、コピー不可映像信号は、電子透かしが埋め込まれた映像とは全く異なる映像、例えば、すべて白や黒の映像などである。
このコピー不可映像信号が選択されるときには、図２に示す音声切替スイッチは、無音を選択するものとする。
また、映像合成部８は図１に示す映像合成部３と同じもので、ブロック分割された映像を再合成する部分である。
【００２１】
以下に、本発明コピー回数制御機能付き記録装置の実施例について説明する。本例においては、図１に示す埋め込みデータとして“０００１”というデータを使用する。また、コピー許可回数はｋ回であるとする。
この場合、まず、コピー許可回数がｋ回のブロックを選択する。この選択されたブロックには“０００１”というコピー許可回数を埋め込む。このコピー許可回数が埋め込まれたブロックにおいては、図２中の電子透かし検出部５において埋め込みデータ“０００１”は既知である。
【００２２】
このようなデータ（“０００１”なるコピー許可回数）が埋め込まれた場合には、電子透かし検出部５において埋め込まれたデータが“０００１”であるブロックの個数をカウントする。そして、そのカウントされたブロックの個数が正の値であれば、別映像ブロック生成部７において、“０００１”が検出されたブロックのうちの１つのブロックの電子透かしを“０００１”とは異なるものに変え、別映像ブロックとして生成する。そして、その映像ブロックの映像切替スイッチを別映像ブロック生成部７の出力側に切り替える。また、カウントされたブロック個数が０である場合には、コピー不可映像信号を出力するように切り替える。
本例において、総てのブロックを使用する必要はない。
また、埋め込みデータ、コピー許可回数を暗号化することも可能である。
【００２３】
図３は、本発明によるコピー回数制御機能付き記録装置における電子透かし埋め込み部分の他の実施形態をブロック図にて示している。
図３において、９はフレームナンバーリング部、１０は電子透かし埋め込み部、および１１は映像フレーム再構成部である。
【００２４】
動作につき説明する。
映像入力信号は、まず、フレームナンバーリング部９において、ｎフレームの映像入力信号を１つのグループとしてグループ化し、そのグループ化されたｎフレームの映像の各フレームにそれぞれ１番からｎ番までの番号付けをする。なお、番号付けをするにあたって、番号の割り当て方法は任意である。
【００２５】
本実施形態においても、コピー回数に相当し、コピー回数を計数するための電子透かしを埋め込むフレーム数ｍを（ｎ−１）とし、１番から（ｎ−１）番までのフレームをこれに当て、コピー許可回数に相当する電子透かしを埋め込むフレーム数ｃｎを１とし、ｎ番のフレームをこれに当てるものとする。
また、分割された１番からｎ番までのフレームに電子透かしを埋め込むのに、コピー回数に相当する電子透かしを埋め込むフレーム数をｍ、参照用データの電子透かしを埋め込むフレーム数をｒｎ、およびコピー許可回数に相当する電子透かしを埋め込むフレーム数をｃｎ（ただし、ｎ≧ｍ＋ｒｎ＋ｃｎ）としてもよい。
【００２６】
図３中、電子透かし埋め込み部１０において、これら番号付けされたｎ個のフレームのうち、１番から（ｎ−１）番のフレームには、例えば、すでに行われたコピー回数など共通の埋め込みデータが電子透かしとして埋め込まれる。また、残るｎ番のフレームにはコピー許可回数が埋め込まれる。この埋め込み方法も任意のものでよい。電子透かしが埋め込まれた１番からｎ番までの番号のフレームの映像信号は映像フレーム再構成部１１において再構成され、コピー回数制御用電子透かしが埋め込まれた映像信号として出力される。
【００２７】
図４は、本発明によるコピー回数制御機能付き記録装置の他の実施形態をブロック図にて示している。
図４において、１２はフレームナンバーリング部、１３は電子透かし検出部、１４は電子透かし分析部、１５は別映像フレーム生成部、および１６は映像フレーム再構成部である。
【００２８】
動作につき説明する。
図３に示す映像フレーム再構成部１１から出力されたコピー回数制御用電子透かしが埋め込まれた映像信号は、まず、フレームナンバーリング部１２に入力される。フレームナンバーリング部１２は図３に示すフレームナンバーリング部９と同じもので、電子透かし埋め込み時に行った番号付けと同じ番号付けを各フレームに対して行う。次に、電子透かし検出部１３において、個々のフレームの電子透かしが検出され、検出された電子透かしは電子透かし分析部１４に入力される。電子透かし分析部１４では、ｎ番のフレームから検出される電子透かし（コピー許可回数）と１番から（ｎ−１）番までのフレームから検出される電子透かしとを分析し、分析の結果、それら検出された電子透かしが同じであるか、異なっているかに対応して、映像切替スイッチを制御する。この制御の仕方は、実施例によって説明した、１フレームの映像をｎ個のブロックに分割する場合と同様である。
【００２９】
従って、本実施形態においても、切り替える映像としては、図４に示すように、別映像フレームとコピー不可映像信号とがある。別映像フレームは、別映像フレーム生成部１５において生成され、１番から（ｎ−１）番のフレームの電子透かしとは異なる電子透かしが埋め込まれたフレームであればどのようなものでもよい。また、コピー不可映像信号は、電子透かしが埋め込まれた映像とは全く異なる映像、例えば、すべて白や黒の映像などである。
このコピー不可映像信号が選択されるときには、図２に示す音声切替スイッチは、無音を選択するものとする。
また、映像フレーム再構成部１６は図３に示す映像フレーム再構成部１１と同じもので、映像フレームの順序を元に戻す部分である。
【００３０】
前述した本発明コピー回数制御機能付き記録装置の実施例は、図３および図４によって説明したｎフレームの映像を１つのグループとしてグループ化する実施形態においてもそのまま当てはまり、前述の実施例において、「分割」を「グループ化」に、「ブロック」を「フレーム」にそれぞれ置き換えればよい。
【００３１】
【発明の効果】
本発明によれば、映像信号に埋め込まれた電子透かしを用いてコピー回数の制御を行うことができるので、著作権の侵害を予防することが可能となる。
【図面の簡単な説明】
【図１】  本発明によるコピー回数制御機能付き記録装置における電子透かし埋め込み部分の一実施形態をブロック図にて示している。
【図２】  本発明によるコピー回数制御機能付き記録装置の一実施形態をブロック図にて示している。
【図３】  本発明によるコピー回数制御機能付き記録装置における電子透かし埋め込み部分の他の実施形態をブロック図にて示している。
【図４】  本発明によるコピー回数制御機能付き記録装置の他の実施形態をブロック図にて示している。
【符号の説明】
１，４  映像分割部
２，10  電子透かし埋め込み部
３，８  映像合成部
５，13  電子透かし検出部
６，14  電子透かし分析部
７  別映像ブロック生成部
９，12  フレームナンバーリング部
11，16  映像フレーム再構成部
15  別映像フレーム生成部
【図１】
0004046930.tif 000002
【図２】
0004046930.tif 000003
【図３】
0004046930.tif 000004
【図４】
0004046930.tif 000005